(57)【要約】【課題】車内に、携帯電話を安定的に収容可能な収容場所を形成するとともに、収容時に充電可能とする、作業性および利便性を向上させた作業車両を提供する。【解決手段】ボンネット１１後方の操縦部にステアリングコラムカバー２０を配設し、このステアリングコラムカバー２０の上方にステアリング２１を設け、ステアリングコラムカバー２０に、ステアリング２１より延設するステアリング軸４６を内設し、ステアリングコラムカバー２０の一側面には、小物品を収容する収容部４１，４１´，４１´´を形成した。【選択図】図４
2014015058.tif 000002
【特許請求の範囲】
【請求項１】
ボンネット後方の操縦部にステアリングコラムカバーを配設し、該ステアリングコラムカバーの上方にステアリングを設け、前記ステアリングコラムカバーに、前記ステアリングより延設するステアリング軸を内設した作業車両において、
前記ステアリングコラムカバーの一側面には、小物品を収容する収容部を形成したことを特徴とする作業車両。
【請求項２】
前記小物品は、携帯電話であることを特徴とする、請求項１に記載の作業車両。
【請求項３】
前記収容部は、前記携帯電話を充電する電源を備えることを特徴とする、請求項１〜２のいずれかに記載の作業車両。
【発明の詳細な説明】
【技術分野】
【０００１】
本発明は、ボンネット後方の操縦部にステアリングコラムカバーを配設し、このステアリングコラムカバーの上方にステアリングを設け、ステアリングコラムカバーに、ステアリングより延設するステアリング軸を内設した作業車両に関し、より詳細には、ステアリングコラムカバーの一側面には、小物品を収容する収容部を形成した作業車両に関する。
【背景技術】
【０００２】
従来のトラクタなどの作業車両には、例えば、携帯電話が、ボタンを利用して作業機の設定（施肥や播種など）を行う設定機能と、設定機能による設定情報を送信する送信機能とを有するとともに、作業機が、作業機に設けられた出力機器と、携帯電話から設定情報を受信する受信部と、出力機器の操作を行う操作表示部と、受信部が受信した設定情報と操作表示部からの操作信号に基づいて、出力機器を制御する制御部とを有し、作業機の設定を、携帯電話を利用して簡単に行える農作業機のリモコンシステム（例えば特許文献１〜２）がある。
また、携帯電話は、トラクタの型式を特定可能な型式特定情報を、当該携帯電話トラクタに設けられたコードから取得し、当該型式特定情報を情報提供サーバに送信し、情報提供サーバは、型式特定情報に基づいて特定される型式のトラクタに関する情報を携帯電話に提供可能として、作業機械の情報（操作方法やトラブル時のメンテナンス方法など）を携帯電話から簡単に参照できる情報提供システム（例えば特許文献３）がある。
【先行技術文献】
【特許文献】
【０００３】
【特許文献１】特開２０１１−１２０５４０号公報
【特許文献２】特開２０１１−１２０５３９号公報
【特許文献３】特開２０１１−５３７９５号公報
【発明の概要】
【発明が解決しようとする課題】
【０００４】
しかし、このような作業車両では、車両に装着した作業機について、携帯電話を用い、作業状態の設定または操作方法の情報入手などを簡単に行えるものの、作業者は、作業中（乗車中）に、上記用途以外に単に通信手段などにも用いるこのような携帯電話を、バックや衣服にポケットがない場合には収容場所に困り、例えばシート上やメーターパネル枠内、あるいは一部の作業車両に有するフェンダーに形成されたカップホルダーなど不安定な場所に置いていたため、作業中に携帯電話が落下して損傷してしまうという問題があった。また、このような不安定な場所や、仮にバックや衣類のポケットに携帯電話を収容できたとしても、作業中に充電をすることができず、電池切れにより携帯を使用できなくなるという不都合があった。
そこで、この発明の目的は、車内に、携帯電話を安定的に収容可能な収容場所を形成するとともに、収容時に充電可能とする、作業性および利便性を向上させた作業車両を提供することにある。
【課題を解決するための手段】
【０００５】
このため、請求項１に記載の発明は、ボンネット後方の操縦部にステアリングコラムカバーを配設し、該ステアリングコラムカバーの上方にステアリングを設け、前記ステアリングコラムカバーに、前記ステアリングより延設するステアリング軸を内設した作業車両において、前記ステアリングコラムカバーの一側面には、小物品を収容する収容部を形成したことを特徴とする。
【０００６】
請求項２に記載の発明は、請求項１に記載の作業車両において、前記小物品は、携帯電話であることを特徴とする。
【０００７】
請求項３に記載の発明は、請求項１に記載の作業車両において、前記収容部は、前記携帯電話を充電する電源を備えることを特徴とする。
【発明の効果】
【０００８】
請求項１に記載の発明によれば、ボンネット後方の操縦部にステアリングコラムカバーを配設し、このステアリングコラムカバーの上方にステアリングを設け、ステアリングコラムカバーに、ステアリングより延設するステアリング軸を内設した作業車両において、ステアリングコラムカバーの一側面には、小物品を収容する収容部を形成したので、作業者が操縦部で、ステアリングコラムカバーの一側面に形成した収容部に小物品を容易に収容させることができ、操縦部での利便性と作業環境を向上させることができる。従って、作業性および利便性を向上させた作業車両を提供することができる。
【０００９】
請求項２に記載の発明によれば、小物品は、携帯電話であるので、作業者の多くが所持する携帯電話を、操縦席近傍のステアリングコラムカバーに設けた収容部に収容させることができ、操縦部での利便性と作業環境を向上させることができる。従って、作業性および利便性を向上させた作業車両を提供することができる。
【００１０】
請求項３に記載の発明によれば、収容部は、携帯電話を充電する電源を備えるので、携帯電話を収容中に、収容時を利用して収容部内で携帯電話を充電させることができるため、携帯電話の電池切れを防ぐことができる。従って、作業性および利便性を向上させた作業車両を提供することができる。
【図面の簡単な説明】
【００１１】
【図１】この発明の作業車両の一例としてのトラクタの斜視図である。
【図２】ステアリングコラムカバーの背面に形成した収容部を説明する操縦部前部の斜視図である。
【図３】携帯電話をステアリングコラムカバー背面の収容部に収容させた説明図である。
【図４】ステアリングコラムカバー背面の収容部内で充電可能に収容する携帯電話の説明図である。
【図５】ステアリングコラムカバーの側面に形成した収容部内で携帯電話を収容させた説明図である。
【図６】ステアリングコラムカバー背面に形成した摺動可能な引出し式の収容部を説明する操縦部前部の斜視図である。
【図７】引き出し式の収容部を引き出した操縦部前部の斜視図である。
【図８】携帯電話を引出し式の収容部に収容させた説明図である。
【図９】ステアリングコラムカバーを車両正面側から見た収容部の引出し機構の説明図である。
【発明を実施するための形態】
【００１２】
以下、図面を参照しつつ、この発明の実施の形態について詳述する。図１はこの発明の作業車両としてのトラクタ１０の斜視図である。トラクタ１０は、ボンネット１１内には後述するエンジンＥ、ラジエータＲ、冷却ファンＦの他、エアクリーナ、バッテリーなどを備える。
【００１３】
また、ボンネット１１の前部には、前照灯１２、エンジンＥに外気を取り入れるためのフロントグリル１３を備える。エンジンＥ、ラジエータＲ、バッテリーは、シャーシ１４上に載置される。また、機体の前部左右には前輪１５，１５を、後部左右には後輪１６，１６を備える。左右の後輪１６をそれぞれ上方と内側から覆うようにフェンダー１７，１７を設ける。
【００１４】
ボンネット１１の後方には、後述する遮蔽板（エアカットプレート）３１を介してダッシュボード１８を備える。ダッシュボード１８には、速度、燃料残量などを表示するパネルを設ける。ダッシュボード１８の後方には、ステアリングコラムカバー２０を隣接して備える。ステアリングコラムカバー２０の上端には、ステアリング２１を突出して設ける。
【００１５】
ステアリングコラムカバー２０の上面には、以下操縦部としてのステアリング２１の左側にリバーサレバー２２を、ステアリング２１の右側にアクセルレバー２３をそれぞれ備える。ステアリングコラムカバー２０の下方右側には左右ブレーキペダル２４、ステアリングコラムカバー２０の下方左側にはクラッチペダル２５を備える。
【００１６】
ステアリングコラムカバー２０の後方には一定距離を隔てて、運転席２７を設ける。運転席２７は、左右のフェンダー１７，１７の間に配置される。運転席２７は、運転台２８上に取り付けられる。運転台２８の天面右側には、油圧リフトレバー３１およびＰＴＯレバー３２を備える。一方、運転台２８の天面左側には、副変速レバー３３を備える。さらに、運転台２８の前面右側には主変速レバー、運転台２８の前面左側には４ＷＤレバーを備える。
【００１７】
運転台２８とボンネット１１との間にはフロア３４を備える。フロア３４は、運転者がトラクタ１０に乗降する際や、運転中に足を置くためのものである。フロア３４の下方には、トランスミッションを内蔵するトランスミッションケースＴＭが配置されている。トランスミッションケースＴＭはシャーシ１４の後部に固定されている。トランスミッションを経て、後輪１６にエンジンＥからの動力が伝達される。
【００１８】
なお、運転席２７の後方に隣接して燃料タンク３６を配置する。燃料タンク３６は左右のフェンダー１７，１７の間に配置される。左右のフェンダー１７，１７の後端には、ＲＯＰＳ（Ｒｏｌｌ−ｏｖｅｒ  ｐｒｏｔｅｃｔｉｖｅ  ｓｔｒｕｃｔｕｒｅｓ）３７を突設する。ＲＯＰＳ３７は、後輪１６の車軸ケースＡＣに固定されている。車軸ケースＡＣは、トランスミッションケースＴＭに固定されている。
【００１９】
次に、本願発明のステアリングコラムカバーに設けた収容部についてその詳細を説明する。図２はステアリングコラムカバーの背面に形成した収容部を説明する操縦部前部の斜視図、図３は携帯電話をステアリングコラムカバー背面の収容部に収容させた説明図、図４はステアリングコラムカバー背面の収容部内で充電可能に収容する携帯電話の説明図、図５はステアリングコラムカバーの側面に形成した収容部内で携帯電話を収容させた説明図である。
【００２０】
本願発明のステアリングコラムカバー２０には、例えば、図２に示すように、ステアリングコラムカバー２０の背面（運転席２７方向側）上部に、両側部および底部を閉塞して上部を開口したポケット式の、小物品、特に携帯電話を収容可能とする収容部４１が設けられる。
【００２１】
この収容部４１は、携帯電話（折り畳み式やストレート式、スライド式などの携帯電話や、板状のスマートフォンなどを含む携帯電話の端末を総称）の外形より少し大きく、奥行きは、携帯電話を指で掴める程度の寸法を有するものが好ましい。なお、以下に説明する収容部の本体は、ステアリングコラムカバー２０と同じ材質を用いることができる。
【００２２】
また、この収容部４１は、ステアリングコラムカバー２０と一体的に形成、または図示しないフランジなどを介してボルト締結などで着脱自在に設置することができる。
【００２３】
そして、図３に示すように、この収容部４１内に、携帯電話４２を挿入（例えば板状のスマートフォンなどであればそのままの状態、折り畳み式であれば折り畳んだ状態）して収容するが、図例では、収容部４１に対して携帯電話４２を横方向に挿入させているが、縦方向に挿入することもできる。また、収容部４１内から携帯電話４２を取出す際には、この携帯電話４２を指で掴んで容易に取出すことができる。
【００２４】
なお、図示しないが、収容部４１の左右両側部を弾性部材による伸縮構造にすることで、携帯電話４２を出入する際には、開口部を拡張させて、容易に携帯電話４２を挿入または取出しすることもできる。
【００２５】
このような構成により、作業者は、トラクタ１０を用いて作業を行う際、所持する携帯電話４２を、運転席２７の正面であって、ステアリングコラムカバー２０背面に設けた収容部４１内に収容できるため、従来のように不安定な場所への仮置きや、衣類のどのポケットに収容したかを捜す必要がなく、所定の収容部４１内に安定的に収容させることができる。
【００２６】
次に、携帯電話４２を上記収容部４１内に収容中に、この携帯電話４２を充電させることもできる。この場合、図４に示すように、収容部４１内には、不図示のバッテリーに接続した携帯電話用の充電コネクター４３が備えられる。
【００２７】
ここで、作業者が、携帯電話４２を収容部４１内に収容する際、充電コネクター４３を携帯電話４２に接続し、この携帯電話４２を収容部４１内に収容することで、収容時間を有効に利用して携帯電話４２を充電させることができる。
【００２８】
また、携帯電話４２に接続した充電コネクター４３が携帯電話４２を支承するはたらきもあり、凹凸の激しい圃場での車両振動時に収容部４１内から携帯電話４２が飛び出したり、収容部４１から携帯電話４２の取出時に手を滑らせて落としてしまうことなどを防ぐことができる。
【００２９】
車両における携帯電話４２の収容部は、上述したステアリングコラムカバー２０の背面位置に限定されない。この場合、図５に示すように、収容部４１´は、例えば、ステアリングコラムカバー２０の一側面（図例では左側面であるが、右側面に設けてもよい）上部に形成してもよい。
【００３０】
この収容部４１´においても、両側部および底部を閉塞して上部を開口したポケット式などでよく、ステアリングコラムカバー２０と一体的に形成、または図示しないフランジなどを介してボルト締結などで着脱自在に設置することができる。
【００３１】
このような構成により、作業者は、トラクタ１０を用いて作業を行う際、所持する携帯電話４２を、運転席２７の前方であって、ステアリングコラムカバー２０の側面に設けた収容部４１´内に収容できるため、上述同様の効果を得ることができる。なお、収容部４１´内には、上述同様に充電コネクター４３を設置してもよい。
【００３２】
次に、作業者は、運転席２７（操縦部）から携帯電話４２のディスプレイを目視または操作可能に収容する収容部を設けることもできる。図６はステアリングコラムカバー背面に形成した摺動可能な引出し式の収容部を説明する操縦部前部の斜視図、図７は引き出し式の収容部を引き出した操縦部前部の斜視図、図８は携帯電話を引出し式の収容部に収容させた説明図、図９はステアリングコラムカバーを車両正面側から見た収容部の引出し機構の説明図である。
【００３３】
この場合、図６に示すように、例えば、ステアリングコラムカバー２０における背面（運転席２７方向側）上部に形成した溝部４４に、把持部４５を備えた引出し式（引出し機構）の収容部４１´´が摺動自在に設置される。
【００３４】
この収容部４１´´は、図７に示すように、例えば、底板ａの周囲に前部側壁ｂ、左右側壁ｃ、後部側壁ｄを設け、この側壁ｂ，ｃ，ｄ内で形成される枠内は、携帯電話４２を平面載置可能とした大きさとし、側壁ｂ，ｃ，ｄの深さは、携帯電話４２の厚みよりやや深い程度に構成される。
【００３５】
従って、ステアリングコラムカバー２０の背面には、収容部４１´´の底板ａ位置に、これら左右側壁ｃおよび後部側壁ｄと同じ高さの溝および両者の底部を連結する溝からなる溝部４４が形成され、この溝部４４を介して収容部４１´´が摺動自在に設けられている。
【００３６】
また、底板ａは、図９に示すように、前部（ボンネット１１側）中央には、収容部４１´´をステアリングコラムカバー２０背面の溝部４４からステアリングコラムカバー２０内に収納した場合に、ステアリング軸４６への接触を回避するための半円状の切欠部４７が形成されるとともに、この切欠部４７を有する辺には、切欠部４７を除いて前部側壁ｂが設けられている。
【００３７】
さらに、例えば、把持部４５を有する後部側壁ｄの左右内側面には、上端部から収容部４１´´の中央に向けて中途部まで棒状の支持部材４８が取付けられる。なお、図例では、左右に２本の支持部材４８を取付けているが、収容部４１´´内に収容した携帯電話４２のディスプレイを見ることができる位置であれば設置する本数および位置は限定しない。また、ステアリングコラムカバー２０背面の溝部４４には、これら支持部材４８を収納可能とする切込が形成される。
【００３８】
切欠部ｃ，ｄの位置であって、ステアリングコラムカバー２０における背面の内側面には、上部に車両左右方向に長穴部４９を形成した支持板５０がボルトなどで取付けられる。なお、長穴部４９の高さは、前部側壁ｂの高さより低いものとする。
【００３９】
従って、ステアリングコラムカバー２０背面の開口部４４および支持板５０の長穴部４７に貫通させた収容部４１´´は、これら溝部４４および長穴部４７をレールとして摺動自在に収納または引き出し可能とするが、収容部４１´´を運転席２７側に最も引き出した場合には、前部側壁ｂが長穴部４９に接触して、前部側壁ｂがストッパーの役目となり収容部４１´´が外れることなく、この収容部４１´´を安定して引き出すことができる。
【００４０】
ここで、作業者が、収容部４１´´に携帯電話４２を収容させる場合には、把持部４５を掴んで収容部４１´´を運転席２７側に引き出し、携帯電話４２を支持部材４８に挟持させながら図８に示すように枠内に載置する。この支持部材４８によって、収容部４１´´内に携帯電話４２を安定保持させることができる。
【００４１】
そして、スマートフォンなど上面にディスプレイを有する携帯電話４２では、作業者は、運転席２７前方に携帯電話４２を収容できるとともに、運転席２７に着座状態（操縦部）から携帯電話４２のディスプレイを目視または操作することができる。これにより、作業者は、操縦部において、携帯電話４２からニュースや気象情報などの情報を容易に得ることができる。
【００４２】
さらに、収容部４１´´内に充電コネクター４３を設置しておくことで、携帯電話４２の収容時には、収容時間を有効に利用して携帯電話４２を充電させることができる。
【００４３】
また、作業を終えて車両から離れるなどの際には、収容部４１´´内から携帯電話４２を取出し、把持部４５を掴むなどしてステアリングコラムカバー２０内に収容部４１´´を収納させることで、収容部４１´´への接触や操縦部のスペースを確保することができる。
【００４４】
以上詳述したように、この例のトラクタ１は、ボンネット１１後方の操縦部にステアリングコラムカバー２０を配設し、このステアリングコラムカバー２０の上方にステアリング２１を設け、ステアリングコラムカバー２０に、ステアリング２１より延設するステアリング軸４６を内設し、ステアリングコラムカバー２０の一側面には、小物品を収容する収容部４１，４１´，４１´´を形成したものである。
【産業上の利用可能性】
【００４５】
この発明は、トラクタに限定されるものではなく、自走式農作業車両、さらには、あらゆる自走式作業車両に適用することができる。
【符号の説明】
【００４６】
１１    ボンネット
１８    ダッシュボード
２０    ステアリングコラムカバー
２１    ステアリング
４１，４１´，４１´´    収容部
４２    携帯電話
４３    充電コネクター
４４    溝部
４５    把持部
４６    ステアリング軸
４７    切欠部
４８    支持部材
ａ    底板
ｂ，ｃ，ｄ    側壁
【図１】
2014015058.tif 000003
【図２】
2014015058.tif 000004
【図３】
2014015058.tif 000005
【図４】
2014015058.tif 000006
【図５】
2014015058.tif 000007
【図６】
2014015058.tif 000008
【図７】
2014015058.tif 000009
【図８】
2014015058.tif 000010
【図９】
2014015058.tif 000011